(57)【要約】【課題】はさみの安全性を向上する【解決手段】一端に取手６ａを備えた刃体１ａと一端に取手６ｂを備えた刃体１ｂとが連結回動軸５により開閉自在に連結している。刃体１ａには被切断物を切るための刃部２ａが設けられ、刃部２ａに向き合い、刃部２ａと所定の隙間を形成するように制限面３を備えた防護板４が刃体１ａに固定されている。刃部２ａと刃部２ｂが最大に開いている位置から閉じる過程において刃部２ｂは、開閉面に垂直な方向から見たとき防護板４と重なり合い、刃部２ａと制限面３が作る隙間以外では刃部２ａと刃部２ｂの間に物が入ることが出来ない。その隙間を用途で想定される被切断物が入る最小限としておけば身体が二つの刃部の間に入る可能性は小さくなり安全性が向上する。【選択図】    図１
2004160108.tif 000002
【特許請求の範囲】
【請求項１】
二つの刃体を開閉自在に連結してなるはさみにおいて、少なくとも一方の刃体において、刃体の刃部に向き合い、刃部と所定の隙間を形成する制限面を有する防護板を備えたことを特徴とするはさみ。
【請求項２】
２つの刃体が開き、一方の刃部と制限面が形成する隙間以上に他方の刃部が開いてもその刃部は防護板と重なり合うことを特徴とする請求項１に記載のはさみ。
【請求項３】
刃部と制限面が形成する隙間を任意に設定できる刃体と防護板の結合手段を有することを特徴とする請求項１又は請求項２に記載のはさみ
【請求項４】
二つの刃体を開閉自在に連結してなるはさみにおいて、刃体の開閉面にほぼ平行で所定の幅のスリットを備えた防護板を刃体に隣接させて配置したことを特徴とするはさみ。
【発明の詳細な説明】
【０００１】
【発明の属する技術分野】
本発明ははさみに関する。
【０００２】
【従来の技術】
安全性を考慮したはさみには、はさみの先端を丸くした物や、刃を鈍角にして触れても傷つきにくくした物、刃を閉じた状態でケースに入れて保管できるようにした物が使用されている。
【０００３】
【発明が解決しようとする課題】
しかしながら、これらの安全性は充分なものとは言えなかった。はさみは二つの刃体が開閉するのであるが、刃体が開いた状態ではその刃と刃の間隔は広いため、容易に指などの身体の一部が入る可能性があり、あやまってその状態で刃を閉じた場合、身体に傷を負ったり切断する危険があった。
これは従来の先端が丸いはさみでも、刃を鈍角にした物でも防ぐことはできない。はさみの用途は紙や金属、布や糸の切断や爪きりなど広範囲であり、子供から大人まで幅広く使用する道具である。はさみは子供のようにその危険性を充分理解していないで使用する場合や、老人や障害者など不自由な中で使用する場合もある。また、大人が使用するはさみを幼児が誤って触ってしまうこともある。本発明の目的は、このようなはさみを使用する人や触れる人が誤って身体を傷つけることのないはさみを提供することにある。
【０００４】
【課題を解決するための手段】
本願において開示される発明のうち、代表的なものの概要を簡単に説明すれば、以下の通りである。すなわち、本発明のはさみは、二つの刃体を開閉自在に連結してなるはさみであり、少なくとも一方の刃体において、刃体の刃部に向き合い、刃部と所定の隙間を形成する制限面を有する防護板を備えたことを特徴とする。また、２つの刃体が開き、一方の刃部と制限面が形成する隙間以上に他方の刃部が開いてもその刃部は防護板と重なり合う。また第二の制限面を持つ防護板を設け、第一の防護板との間を他方の刃体が移動するようにしてもよい。また刃体と防護板が複数箇所においてつながり、刃部と制限面が形成する隙間は閉じた穴形状としてもよい。
【０００５】
また本発明のはさみは、刃部と制限面が形成する隙間を任意に設定できる刃体と防護板の結合手段を有することを特徴とする。
【０００６】
また本発明のはさみは、二つの刃体を開閉自在に連結してなるはさみであって、刃体の開閉面にほぼ平行で所定の幅のスリットを備えた防護板を刃体に隣接させて配置したことを特徴とするはさみ。
【０００７】
【発明の実施の形態】
以下、本発明の実施の形態を図面に基づいて詳細に説明する。
図１は本発明の一実施の形態であるはさみを示す斜視図であり、一端に取手６ａを備えた刃体１ａと一端に取手６ｂを備えた刃体１ｂとが連結回動軸５により開閉自在に連結している。刃体１ａには被切断物を切るための刃部２ａが設けられ、刃部２ａに向き合い、刃部２ａと所定の隙間を形成するように制限面３を備えた防護板４が刃体１ａに固定されている。図示する場合では防護板４と刃体１ａとはひとつの部材で一体に形成しているが、別々の部材とし結合して形成しても良い。
【０００８】
他方の刃体１ｂには、取手６ｂの一端を延長して形成したストッパ７を設け、刃体１ａと刃体１ｂが、連結回動軸５を中心に回動し、刃部２ａと刃部２ｂが所定の角度に開いたときストッパ７が刃体１ａに当たり、それ以上開かないようにしてある。刃部２ａと刃部２ｂが最大に開いている位置から閉じる過程において刃部２ｂは、開閉面に垂直な方向から見たとき防護板４と重なり合い、刃部２ａと制限面３が作る隙間以外では刃部２ａと刃部２ｂの間に物が入ることが出来ない。
刃部２ａと刃部２ｂが所定の角度以上に開かないようにする手段は、図示する方法に限らず、刃体１ａに突起を設け、刃体１ｂが突起に当たり所定の角度以上に開かないようにしてもよい。
また、図１にあっては、一方の刃体に対して制限面と防護板を設けてあるが、両方の刃体に制限面と防護板を設けても良い。
【０００９】
図２は本発明の他の実施の形態であるはさみを示す図であり、図２（Ａ）のＩ−Ｉ線に沿う断面図が図２（Ｂ）である。図２にあっては、刃部２ａと所定の隙間を形成するように制限面３を備えた防護板４と、第二の制限面３ｄを持つ防護板４ｄを設け、防護板４と防護板４ｄとの間を他方の刃体１ｂが移動するようにしている。これにより、隙間以上に開いている刃部２ｂの領域は露出しない為、触れることが出来ずより安全である。
【００１０】
図３は本発明の他の実施の形態であるはさみを示す図であり、図３にあっては、刃体１ａの先端が防護板４とつながり、刃部２ａと制限面３が形成する隙間は閉じた穴形状となっている。爪きりなどのように横方向から被切断物を挿入する用途のはさみにおいては、このようにすることで刃体１ａの先端がなくより安全となる。
図４は本発明の他の実施の形態であるはさみを示す図であり、図１から図３に示すような連結回動軸がないはさみの例である。
【００１１】
図５は本発明の他の実施の形態であるはさみを示す図であり、図５（Ａ）のＩＩ−ＩＩ線に沿う断面図が図５（Ｂ）である。図５にあっては、刃体１ａに複数のねじ穴９を備え、制限面３を備えた防護板４を、固定ねじ８で脱着自在に固定できる結合手段を有する。ねじ穴は刃部２ａと制限面３が形成する隙間が段階的に変化する方向に用意され、使用するねじ穴を選択することにより、隙間を被切断物に合わせて変更が可能である。図示する結合手段は、ねじを使用しているが、刃体の溝に、防護板に設けた突起が勘合し、結合するようにしても良い。
また、図示する結合手段は複数のねじ穴により段階的に隙間が変化するが、例えば、刃体のねじ穴は一つとし、防護板を長穴として、固定ねじで任意の隙間で固定できるようにしても良い。
【００１２】
図６は本発明の他の実施の形態であるはさみを示す図であり、図６にあっては、刃体１ａ、刃体１ｂの開閉面にほぼ平行で、所定の幅のスリット１０を備えた防護板４が刃体１ａ、刃体１ｂに隣接して配置されるよう、結合回動軸の図示しない位置で係支されている。被切断物をスリット１０に挿入し、取手６ａと取手６ｂを閉じると、刃体１ａと刃体１ｂが開いている位置から閉じる過程で刃部２ａと刃部２ｂが作る交差部がスリットの中を移動し、被切断物を切断する。刃部２ａと刃部２ｂが最大に開いている位置から閉じる過程において刃部２ａと刃部２ｂは、開閉面に垂直な方向から見たとき防護板４と重なり合い、スリット１０の隙間以外では刃部２ａと刃部２ｂの間に物が入ることが出来ない。
【００１３】
本発明は前記実施の形態に限定されるものではなく、その要旨を逸脱しない範囲で種々変更可能である。たとえば、図６はさみにおいて、スリットを備えた第２の防護板を用意し、２つの防護板の間に２つの刃体を配置して、開閉するようにしても良いし、また防護板には安全性を損なわない程度の大きさや形状の穴が開いていても良い。
【００１４】
【発明の効果】
本願において開示される発明のうち、代表的なものによって得られる効果を簡単に説明すれば、以下のとおりである。
【００１５】
（１）本発明のはさみにあっては、その隙間を例えば用途で想定される被切断物が入る最小限としておけば身体が二つの刃部の間に入る可能性は小さくなる。例えば文具としてのはさみであれば、被切断物の厚い物ではボール紙などであり、隙間は２ｍｍ程度で良い。この隙間であれば子供の指であっても入ることはない為、指の切断など誤って身体を傷つけることはない。
【００１６】
（２）被切断物の厚さが都度変わる場合であっても、隙間を任意に設定できる為、最大限の安全性を確保できる。
【００１７】
（３）防護板によりはさみの先端は従来のはさみに比べ大きな面積を持ち、尖っていない為、誤って身体に突き刺すことはない。
（４）以上の効果によってもたらされる二次的な効果として、本発明のはさみや爪きりであれば、幼児の手の届く場所に置いてあっても安心であり、保管場所を選ばない。また、幼稚園などで大勢の子供がはさみを使用し、数人の先生が見守る場合も、怪我の心配をすることなく作業に専念でき先生の心労も軽減される。
【図面の簡単な説明】
【図１】本発明の一実施の形態であるはさみを示す斜視図であり、はさみが開いた状態を示し、二点鎖線は閉じた状態を示している。
【図２】（Ａ）は本発明の一実施の形態であるはさみの刃体部分を示す斜視図であり、（Ｂ）は同図（Ａ）におけるＩ−Ｉ線に沿う断面図である。
【図３】本発明の一実施の形態であるはさみの刃体部分示す斜視図である。
【図４】本発明の一実施の形態であるはさみを示す斜視図である。
【図５】（Ａ）は本発明の一実施の形態であるはさみの刃体部分を示す斜視図であり、（Ｂ）は同図（Ａ）におけるＩＩ−ＩＩ線に沿う断面図である。
【図６】本発明の一実施の形態であるはさみを示す斜視図である。
【符号の説明】
１ａ  刃体
１ｂ  刃体
２ａ  刃部
２ｂ  刃部
３    制限面
３ｄ  制限面
４    防護板
４ｄ  防護板
５    連結回動軸
６ａ  取手
６ｂ  取手
７    ストッパ
８    固定ねじ
９    ねじ穴
１０  スリット
【図１】
2004160108.tif 000003
【図２】
2004160108.tif 000004
【図３】
2004160108.tif 000005
【図４】
2004160108.tif 000006
【図５】
2004160108.tif 000007
【図６】
2004160108.tif 000008